(57)【要約】 【課題】  カウンターの端部の見栄えがよく且つ強度的にも優れたトイレユニットのカウンター端部処理構造を提供する。【解決手段】  カウンター８の後端（一端）は後部キャビネット４の前面板４１に形成した貫通穴４２を介して後部キャビネット４内まで延びている。貫通穴４２の形状は前記カウンター８の端面形状と略等しい。ここで、略等しいとは、カウンター８の端面形状と貫通穴４２とが完全に同じ形状であるとカウンター８の端部を貫通穴４２に挿通することが出来ないので、軽圧入できる程度に貫通穴４２の形状がカウンター８の端面形状よりも大きくなっていることを指す。このように、カウンター８の端部を貫通穴４２に軽圧入することによって隙間がなくなり、且つカウンター８の一端に作用する荷重をキャビネット４の前面板４１が支えることになる。【選択図】        図２
2007029117.tif 000002
【特許請求の範囲】
【請求項１】
大便器の背面側にキャビネットを配置し、大便器の側方にカウンターを配置したトイレユニットにおいて、前記キャビネットの前面には前記カウンターの端面と略同形の貫通穴が形成され、この貫通穴に前記カウンターの一端を貫通保持させたことを特徴とするトイレユニットのカウンター端部処理構造。
【請求項２】
大便器の背面側にキャビネットを配置し、大便器の側方にカウンターを配置したトイレユニットにおいて、前記キャビネットの前面には前記カウンターの端面と略同形の凹部が形成され、この凹部に前記カウンターの一端を嵌合保持させたことを特徴とするトイレユニットのカウンター端部処理構造。
【請求項３】
請求項１または請求項２に記載のトイレユニットのカウンター端部処理構造において、前記カウンターの他端は壁面に取り付けられた手洗器キャビネットに保持させたことを特徴とするトイレユニットのカウンター端部処理構造。
【請求項４】
請求項１または請求項２に記載のトイレユニットのカウンター端部処理構造において、前記カウンターの一端が保持されるキャビネットの前面は間口調整材からなることを特徴とするトイレユニットのカウンター端部処理構造。
【発明の詳細な説明】
【技術分野】
【０００１】
本発明は、大便器の背面側にキャビネットを配置したトイレユニット（システムトイレ）のカウンター端部処理構造に関する。
【背景技術】
【０００２】
トイレ空間の有効利用と使いやすさの観点から、大便器の背面側にトイレットペーパなどをストックしておくキャビネットを配置し、更に大便器の側方には小物を載せるカウンターを配置した先行技術が、特許文献１及び特許文献２として知られている。
【０００３】
【特許文献１】特許第２７６９６８４号公報
【特許文献２】特開２０００−１６０６５８号公報
【発明の開示】
【発明が解決しようとする課題】
【０００４】
トイレユニットを現場において組み立てる場合、施工性を高めるには現場での材料の切断をなるべく行わなくて済むようにしなければならない。このため、カウンターについても現場での切断を行わなくて済むように、一端がキャビネットの前面に突き当たらずに若干の隙間が残る寸法とし、隙間の部分については特許文献１に示すように間口調整材を嵌め込んでいる。
【０００５】
また、現場での施工性は悪くなるが、設定寸法よりも長いカウンターを予め用意し、コーナ部においてカウンターの一端がキャビネットの前面に突き当たるようにカウンターを現場で切断することも考えられる。
【０００６】
しかしながら、間口調整材を用いた場合には、余分な部材を必要とするとともに、見栄えもよくない。また現場でカウンターを切断する場合には、慎重に切断しても切断面が垂直になっていないと突き合わせ箇所に隙間が生じてしまう。これを解消するには、図７に示すようにカウンターの一端にキャップを被せることも考えられる。
【０００７】
前記したカウンターの端部処理構造のいずれもカウンターの一端とキャビネット前面との突き合わせ部に隙間が生じてしまう。またキャップを設けた場合にも見栄えがよくない。
【０００８】
また、老人などは用便後にカウンターに体重をかけて立ち上がることが考えられ、カウンターには強度部材としての機能も要求される。しかしながら、カウンターの端部を切断してキャビネット前面に突き当てる構造、或いは間口調整材を介在させる構造では人の体重などを支えることはできない。
【課題を解決するための手段】
【０００９】
上記課題を解決するため請求項１に係るトイレユニットのカウンター端部処理構造は、大便器の背面側にキャビネットを配置し、大便器の側方にカウンターを配置したトイレユニットにおいて、前記キャビネットの前面には前記カウンターの端面と略同形の貫通穴が形成され、この貫通穴に前記カウンターの一端を貫通保持させた構成とした。
【００１０】
また、請求項２に係るトイレユニットのカウンター端部処理構造は、大便器の背面側にキャビネットを配置し、大便器の側方にカウンターを配置したトイレユニットにおいて、前記キャビネットの前面には前記カウンターの端面と略同形の凹部が形成され、この凹部に前記カウンターの一端を嵌合保持させた構成とした。
【００１１】
請求項１または請求項２の構成とすることで、カウンターとキャビネットとの突き合わせ部での隙間がなくなり、また、カウンターに大きな荷重が作用しても支えることができる。
【００１２】
また、カウンターの他端については、壁面に取り付けられた手洗器キャビネットに保持させることで、強固にカウンターを支持することができる。
【００１３】
更に、カウンターの一端が保持されるキャビネットの前面を間口調整材とし、この間口調整材にカウンターの一端が貫通する貫通穴或いはカウンターの一端が嵌合する凹部を形成してもよい。
【発明の効果】
【００１４】
本発明に係るトイレユニットのカウンター端部処理構造によれば、カウンターのキャビネットとの突き合わせ部における隙間が生じることがなくなり、見栄えがよくなる。
また、キャビネットによってカウンターの一端を保持するため、使用者の体重などが作用した場合でも、外れたり変形することがない。
【発明を実施するための最良の形態】
【００１５】
以下に本発明の実施例を添付図面に基づいて説明する。図１は本発明に係るカウンター端部処理構造を適用したトイレユニットの斜視図、図２（ａ）はカウンターをキャビネットの前面に差し込む前の状態を示す斜視図、（ｂ）はカウンターをキャビネットの前面に差し込んだ状態を示す斜視図、図３はカウンターをキャビネットの前面に差し込んだ状態の平面図である。
【００１６】
トイレユニットは床面１上に大便器２が設置され、この大便器２の背面側の壁面３に後部キャビネット４が固定され、また大便器２の右側の壁面５に手洗器６と手洗器キャビネット７が固定され、更に後部キャビネット４と手洗器キャビネット７との間にカウンター８が設けられている。
【００１７】
次に前記カウンター８の端部処理構造について説明する。先ず、カウンター８の後端（一端）は後部キャビネット４の前面板４１に形成した貫通穴４２を介して後部キャビネット４内まで延びている。後部キャビネット４の前面板４１については開閉可能な扉とすることもできる。但しこの場合は、前面板４１の回動中心となるヒンジを中央寄りとすることで、図２の矢印に示す方向に開くことができる。
【００１８】
貫通穴４２の形状は前記カウンター８の端面形状と略等しい。ここで、略等しいとは、カウンター８の端面形状と貫通穴４２とが完全に同じ形状であるとカウンター８の端部を貫通穴４２に挿通することが出来ないので、軽圧入できる程度に貫通穴４２の形状がカウンター８の端面形状よりも大きくなっていることを指す。このように、カウンター８の端部を貫通穴４２に軽圧入することによって隙間がなくなり、且つカウンター８の一端に作用する荷重をキャビネット４の前面板４１が支えることになる。
【００１９】
一方、カウンター８の先端側は前記手洗器キャビネット７の上面部に支持され、このカウンター８上に手洗器６が配置され、手洗器６からの排水管はカウンター８に形成した開口（図示せず）を介してキャビネット４内に延び、このキャビネット４内を介して外部につながっている。尚、手洗器６への給水管もキャビネット４内、カウンター８に形成した開口（図示せず）を通って手洗器６に接続されている。
【００２０】
このように、カウンター８は両端ともキャビネット４，７に支持され、これらキャビネット４，７は強度部材である壁面３，５に支持されているため、大便器の使用者がカウンターに全体重をかけてもカウンターが外れたり変形することはない。
【００２１】
図４，図５は別実施例を説明した図３と同様の図であり、図４に示す実施例にあっては、貫通穴４２の代わりに凹部４３を前面板４１に形成し、この凹部４３にカウンター８の端部を嵌合せしめている。この凹部４３の形状も前記貫通穴４２と同様に、前記カウンター８の端面形状と略等しくされている。このように、貫通穴４２の代わりに凹部４３を形成することで、カウンター８の端部が後部キャビネット４内に侵入することがなく、後部キャビネット４内の空間を有効に使用することができる。
【００２２】
また図５に示す実施例は、キャビネット４の前面板４１の代わりに間口調整材４４を用いている。この間口調整材４４はキャビネット４と側壁５との隙間を隠す部材であり、前面板４５と後面板４６からなり、後面板４６には長穴４７が形成され、この長穴４７の部分を介してボルト４８により前面板４５と後面板４６とが一体化され、またボルト４８を緩め後面板４６の位置を矢印方向に調整することで隙間の寸法に対処する。
【００２３】
そして、本実施例では、前面板４５にカウンター８の端部が嵌合する穴４９を形成している。図示例ではカウンター８の端面を後面板４６に突き当てることで嵌合後のガタツキも抑制している。
【００２４】
また図６は別実施例を説明したトイレユニットの側面図であり、この実施例ではカウンター８の下に配管カバー（或いはブラケット）８１を設け、この配管カバー８１についてもカウンター８と同様にキャビネット４の前面板４１に形成した貫通穴（凹部）を介してキャビネット４内に一端を臨ませ、隙間を生じさせないようにして外観性と強度を向上させている。
【図面の簡単な説明】
【００２５】
【図１】本発明に係るカウンター端部処理構造を適用したトイレユニットの斜視図
【図２】（ａ）はカウンターをキャビネットの前面に差し込む前の状態を示す斜視図（ｂ）はカウンターをキャビネットの前面に差し込んだ状態を示す斜視図
【図３】カウンターをキャビネットの前面に差し込んだ状態の平面図
【図４】別実施例を説明した図３と同様の図
【図５】別実施例を説明した図３と同様の図
【図６】別実施例を説明したトイレユニットの側面図
【図７】キャップを用いた従来例を説明した図
【符号の説明】
【００２６】
１…床面、２…大便器、３，５…壁面、４…後部キャビネット、６…手洗器、７…手洗器キャビネット、８…カウンター、４１…後部キャビネットの前面板、４２…貫通穴、４３…凹部、４４…間口調整材、４５…間口調整材の前面板、４６…間口調整材の後面板、４７…長穴、４８…ボルト、４９…穴４９、８１…配管カバー（或いはブラケット）。
【図１】
2007029117.tif 000003
【図２】
2007029117.tif 000004
【図３】
2007029117.tif 000005
【図４】
2007029117.tif 000006
【図５】
2007029117.tif 000007
【図６】
2007029117.tif 000008
【図７】
2007029117.tif 000009